【手続補正書】
【提出日】平成26年3月13日(2014.3.13)
【手続補正１】
【補正対象書類名】明細書
【補正対象項目名】００２３
【補正方法】変更
【補正の内容】
【００２３】
また、取出し釦部材６１は、指で操作し易くするためにその上面６１１に凹凸形状が形成されると共に、下面６１２（図２２）には、押出しプレート６２と固定する止めネジ６３をねじ込むためのネジ穴６１３が設けられ、上面６１１と下面６１２との間には段差部６１４が形成されている。また、押出しプレート６２（図２３）には、前記係止部６２１のほか、前記止めネジ６３を挿通するためのネジ穴６２２と、弦巻バネ７１の一端側の動きを許容するための凹部６２３（図７）が形成されている。取出し釦部材６１と押出しプレート６２を固定すると、前記段差部６１４により取出し釦部材６１の下面と押出しプレート６２の上面の間にスペースが形成され、そのスペースに前記窓部３３のレール部３４を挟み込むことにより、名刺取出し機構６をレール部３４に沿って前後方向へスライド可能に保持するようになっている。
ユーザーが取出し釦部材６１を、図１、図２、図８、図１０等に示した状態から前方向へスライドさせると、押出しプレート６２の下面の後端部に設けた係止部６２１が、収納ケース４の複数の名刺Ｍの最上部の名刺ｍ１の後端部を引っ掛けた状態で前方向へ押し動かすことができる（図９参照）。
【手続補正２】
【補正対象書類名】明細書
【補正対象項目名】００２４
【補正方法】変更
【補正の内容】
【００２４】
図示した実施例において、前記名刺取出し機構６には、名刺取出し操作後に、押出しプレート６２等を原位置に自動復帰させる自動復帰手段７が設けられている。この自動復帰手段７は、図７、図１４、図１５に示したように、弦巻バネ７１とバネ収容カバー７２とから成り、バネ収容カバー７２は、複数の取付けネジ７３で上部ケース３の内面の自動復帰手段取付け領域３８（図１８参照）に取り付けられると共に、バネ収容カバー７２の収装凹部７２１に弦巻バネ７１の主体部７１１を収容するようになっている。弦巻バネ７１は、その一方の端部７１２を止めネジ７４で旋回可能に保持し、他方の端部７１３を押出しプレート６２に設けた切欠部６２１へ挿入させつつ前記止めネジ６３の１本のもので旋回可能に保持させている。尚、図２４において指示記号７２２、７２３で示されたものは、取付ネジ弾性手段５２の取付用孔である。
図１４に示す如く、名刺の取出し動作開始前の状態から、ユーザーが取出し釦部材６１を弦巻バネ７１のバネ力に抗して指で前方向へスライドさせ、図１５に示すような名刺の取出し動作終了位置まで移動させた後、取出し釦部材６１から指を離すと、弦巻バネ７１の復原力により、取出し釦部材６１及び押出しプレート６２から成る名刺取出し機構６は、図１４に示した原位置へ復帰するものである。
【手続補正３】
【補正対象書類名】明細書
【補正対象項目名】００２６
【補正方法】変更
【補正の内容】
【００２６】
前記名刺押上げ手段５は、前記収納ケース４内で上下方向に移動可能な押上げプレート５１（図７〜図１３参照）と、当該押上げプレート５１を押し上げるよう当該押上げプレート５１と前記下部ケース２との間に設けた複数の弾性手段５２と、で構成される。
前記押上げプレート５１の前後及び左右の長さを、収納すべき名刺のそれと略同等以上とすることにより、名刺の反りや歪みを防止でき、１枚ずつの名刺の取出し動作の誤動作が解消されると共に、名刺の大きさのバラツキにも対応できる。
前記複数の弾性手段５２としては、複数の圧縮コイルバネが好適に用いられる。コイルバネは、伸縮率が大きく、多数枚の名刺を収容しても収納ケース４を薄くできるためである。また、弾性率の調整も容易であり、使用状況に応じて最適の調整が可能であると共に、名刺の押さえ機能を安定させ得るためである。
収納ケース４の厚さを携帯に便利な厚さにしたとき、通常の名刺であれば１５枚程度収納可能である。
【手続補正４】
【補正対象書類名】明細書
【補正対象項目名】００２７
【補正方法】変更
【補正の内容】
【００２７】
前記の各弾性手段５２の下端部は、下部ケース２の底板２０ａの内面に設けた複数のバネ受皿部２５内に嵌め入れ、上端部は、押上げプレート５１の支台面５１１の下面に設けた複数のバネ受皿部５１２内に嵌め入れる。これらのバネ受皿部は、下部ケース２や押上げプレート５１と一体的に成形してもよいし、ネジ止めするようにしてもよい。このように弾性手段５２の下端部及び上端部を前記バネ受皿部内に嵌め入れることによって、これらの圧縮コイルバネの変形や誤動作を防ぐことが可能となる。また、圧縮コイルバネの下端部及び上端部をバネ受皿部内に嵌め入れるだけでよいので、板バネ等を接着したりネジ止めしたりする従来品に比べると、製造コストが軽減されるという効果もある。
【手続補正５】
【補正対象書類名】明細書
【補正対象項目名】００２８
【補正方法】変更
【補正の内容】
【００２８】
また、図示した実施例においては、弾性手段５２の数と配置を、前記名刺取出し機構６が最上部の名刺ｍ１を引っ掛けて押し出す中央部においては、３個の弾性手段５２を設けて、前記引っ掛け動作を安定化させると共に、左右の端部近くにおいては２個ずつの弾性手段５２を設けて、名刺の挿入時や取出し操作時に過度な圧力を避け、それらの操作がスムーズに行われ得るようにするために、押上げプレート５１の領域に応じて押上げ荷重の差を生じさせるようになっている。これは、前記圧縮コイルバネ等の複数の弾性手段の数や配置に限らず、弾性手段の形態や取付け方法についても種々変化させることにより、押上げプレート５１の領域に応じて押上げ荷重の差を生じさせることができる。
【手続補正６】
【補正対象書類名】明細書
【補正対象項目名】００３６
【補正方法】変更
【補正の内容】
【００３６】
名刺を１枚取り出す場合には、上部ケース３の上面にスライド可能に取り付けられている取出し釦部材６１を前方向へスライドさせると、前記押出しプレート６２の下面の後端部に設けた係止部６２１が、収納ケース４内の複数の名刺Ｍの最上部の名刺ｍ１の後端部を引っ掛けた状態で前方向へ押し動かす（図９参照）。このとき、押し出される名刺の先端部分は、前記名刺取出し口４２近くに設けられたガイド部３７によって斜め下方へ向けて傾斜させられると共に、ストッパ２３によって、２枚目の名刺ｍ２及びそれより下部の名刺は名刺取出し口４２から押し出されるのを阻止されるため、最上部の名刺１枚だけが確実に取り出され得る（図４）。また、押出しプレート６２の下面の前記係止部６２１は、２段、若しくはそれより多い段数の段差形状に形成されているため、仮に１段目で最上部の名刺の引っ掛け動作に失敗したとしても、２段目以降の段差部で引っ掛けることができるので、名刺の確実な送出し機能が確保できるものである。また、取出し釦部材６１は、前記自動復帰手段７により、常に所定位置で待機状態にあるので、次に取り出すときも取出し釦部材６１を元の位置に戻す必要がなく、操作性がよい。
収納する名刺よりも大きなサイズの押上げプレート５１を用いることにより、名刺の反りや歪みが生じることがなく、最後の１枚の名刺まで確実に取り出すことができる。
また、押上プレート５１を押し上げる弾性手段として、伸縮率の大きな圧縮コイルバネを用いることにより、収納ケースの厚さを薄くすることができる。
【手続補正７】
【補正対象書類名】図面
【補正対象項目名】図１８
【補正方法】変更
【補正の内容】
【図１８】
2012192523.tif 000001